(57)【要約】【課題】電動オイルポンプと変速機とをスリーブを介して接合する際に、容易に嵌入作業を行なうことができる電動オイルポンプのシール構造を提供する。【解決手段】停車時にエンジンを停止するアイドリングストップシステムを搭載した車両の変速機と電動オイルポンプとの接合部におけるシール構造であって、上記シール構造は、円筒状のスリーブ２の外周に形成されたシール溝２ａと、この溝に嵌入されるシール部材とからなり、シール部材は、複合ステップカットの合い口を有する断面矩形の合成樹脂製のシールリング１であり、このシールリング１が縮径および拡径可能な構造を有する。【選択図】図１
2014098461.tif 000002
【特許請求の範囲】
【請求項１】
停車時にエンジンを停止するアイドリングストップシステムを搭載した車両の変速機と電動オイルポンプとの接合部におけるシール構造であって、
前記シール構造は、円筒状のスリーブの外周に形成されたシール溝と、該シール溝に嵌入されるシール部材とからなり、
前記シール部材は、複合ステップカットの合い口を有する断面矩形の合成樹脂製のシールリングであることを特徴とする電動オイルポンプのシール構造。
【請求項２】
前記複合ステップカットの合い口は、相互に対向する合い口端部からなり、
一方の合い口端部は、リング内周面側に突き合わせ面と、リング外周面側に前記突き合わせ面から突出したリップおよび後退したポケットとを有し、
他方の合い口端部は、前記突き合わせ面、前記リップおよびポケットと相補的に嵌合するように形成された、突き合わせ面、ポケットおよびリップを有し、
前記シール部材は、前記シール溝に嵌入した状態において、前記突き合わせ面間に周方向の隙間を有し、かつ、リング内周面と前記シール溝の溝底との間に隙間を有することを特徴とする請求項１記載の電動オイルポンプのシール構造。
【請求項３】
前記シール部材が、合成樹脂をベース樹脂とする樹脂組成物を射出成形してなる成形体であることを特徴とする請求項１または請求項２記載の電動オイルポンプのシール構造。
【請求項４】
前記合成樹脂が、ポリエーテルエーテルケトン樹脂またはポリフェニレンスルフィド樹脂であることを特徴とする請求項３記載の電動オイルポンプのシール構造。
【請求項５】
前記スリーブは、前記接合部において前記変速機および前記電動オイルポンプの少なくとも一方のスリーブ嵌入部に嵌入され、該嵌入部と前記スリーブとの嵌合隙間が０．０１５ｍｍ〜０．１ｍｍであることを特徴とする請求項１から請求項４のいずれか１項記載の電動オイルポンプのシール構造。
【発明の詳細な説明】
【技術分野】
【０００１】
本発明は、信号待ち等の停車時にエンジンを停止させるアイドリングストップシステムを搭載した車両において、アイドリングストップ時に油圧を発生させる電動オイルポンプのシール構造に関する。
【背景技術】
【０００２】
近年、燃費の向上などを図るために、信号待ち等の停車時にエンジンを自動的に停止させるアイドリングストップ車やハイブリッド車が実用化されている。これらには、エンジンの自動停止に伴う機械式オイルポンプの停止中に、変速機の油圧の低下を防止するために、電動モータで駆動される電動オイルポンプを用いて油圧を変速機に供給するものが提供されている。
【０００３】
このような変速機の一例として、特許文献１には、電動オイルポンプを変速機ハウジングの外部に設けることで、従来の変速機ユニットの基本的レイアウトを変えることなく変速機ユニットの構成をコンパクトにすることを可能とする技術が開示されている。図５に示すように、この変速機ユニットでは、電動オイルポンプ１１と変速機の油圧コントロールバルブユニットのユニットハウジング１２との接合部に、電動オイルポンプ１１とハウジング１２の両方に嵌入する円筒状のスリーブ１３を有し、スリーブ１３の両方の嵌入部分（外周部）にそれぞれＯリング１４、１５を配した円筒シール構造によって油圧がシールされている。
【先行技術文献】
【特許文献】
【０００４】
【特許文献１】特開２００１−２６０６７４号公報
【発明の概要】
【発明が解決しようとする課題】
【０００５】
しかしながら、スリーブ外周にＯリングを配した円筒シール構造とした場合、このスリーブに電動オイルポンプを嵌入するにあたり、Ｏリングが破損または破断するという問題がある。Ｏリングが破損または破断した場合、オイル洩れを生じ変速機の油圧の低下が生じ、アイドリングストップ機能が有効に機能しないおそれがある。組み立て時の僅かな破損などは、その確認が困難であり、信頼性を損ねるおそれがある。また、破損、破断をしない場合でも、嵌入作業に非常に手間取るという問題がある。
【０００６】
これらの問題は、高圧な油圧をシールするため、Ｏリングの潰し代が多く、スリーブと嵌合部との嵌合隙間が小さいことが要因となっている。
【０００７】
本発明はこのような問題に対処するためになされたものであり、電動オイルポンプと変速機とをスリーブを介して接合する際に、容易に嵌入作業を行なうことができる電動オイルポンプのシール構造を提供することを目的とする。
【課題を解決するための手段】
【０００８】
本発明の電動オイルポンプのシール構造は、停車時にエンジンを停止するアイドリングストップシステムを搭載した車両の変速機と電動オイルポンプとの接合部におけるシール構造であって、上記シール構造は、円筒状のスリーブの外周に形成されたシール溝と、該シール溝に嵌入されるシール部材とからなり、上記シール部材は、複合ステップカットの合い口を有する断面矩形の合成樹脂製のシールリングであることを特徴とする。
【０００９】
また、上記複合ステップカットの合い口は、相互に対向する合い口端部からなり、一方の合い口端部は、リング内周面側に突き合わせ面と、リング外周面側に上記突き合わせ面から突出したリップおよび後退したポケットとを有し、他方の合い口端部は、上記突き合わせ面、上記リップおよびポケットと相補的に嵌合するように形成された、突き合わせ面、ポケットおよびリップを有し、上記シール部材は、上記シール溝に嵌入した状態において、上記突き合わせ面間に周方向の隙間を有し、かつ、リング内周面と上記シール溝の溝底との間に隙間を有することを特徴とする。
【００１０】
上記シール部材が、合成樹脂をベース樹脂とする樹脂組成物を射出成形してなる成形体であることを特徴とする。
【００１１】
上記合成樹脂が、ポリエーテルエーテルケトン（以下、ＰＥＥＫと記す）樹脂またはポリフェニレンスルフィド（以下、ＰＰＳと記す）樹脂であることを特徴とする。
【００１２】
上記スリーブは、上記接合部において上記変速機および上記電動オイルポンプの少なくとも一方のスリーブ嵌入部に嵌入され、該嵌入部と上記スリーブとの嵌合隙間が０．０１５ｍｍ〜０．１０ｍｍ（径差としては０．０３ｍｍ〜０．２０ｍｍ）であることを特徴とする。
【発明の効果】
【００１３】
本発明は、停車時にエンジンを停止するアイドリングストップシステムを搭載した車両の変速機と電動オイルポンプとの接合部におけるシール構造において、該シール構造を、円筒状のスリーブの外周に形成されたシール溝と、このシール溝に嵌入されるシール部材とから構成し、このシール部材として複合ステップカットの合い口を有する断面矩形の合成樹脂製のシールリングを用いるので、Ｏリングのように潰し代を多くする等の必要がなく、容易に嵌入作業を行なうことができる。
【００１４】
特に、上記複合ステップカットの合い口において、対向する合い口端部の構造を、相補的に嵌合する突き合わせ面、ポケットおよびリップからなる上記の所定構造とし、シールリングをシール溝に嵌入した状態で、突き合わせ面間に周方向の隙間を有し、かつ、リング内周面とシール溝の溝底との間に隙間を有するので、縮径、拡径を自在に行なうことができる。このため、スリーブに電動オイルポンプを嵌入させる際には縮径状態にしておくことで、容易に嵌入作業が行なえる。また、Ｏリングのように噛み込むことが生じず、スリーブに電動オイルポンプを嵌入するにあたり、Ｏリングのように破損または破断するという問題が生じない。さらに、上記の所定構造により、合い口からのオイル洩れも生じず、電動オイルポンプと変速機との接合部からオイル洩れが生じるおそれがない。
【００１５】
上記シール部材が、合成樹脂をベース樹脂とする樹脂組成物を射出成形してなる成形体であるので、ゴム成形体と比べて低摩擦であり、嵌入作業が容易になる。また、射出成形されたものであるので、上記した複雑な形状の複合ステップカットの合い口を容易に形成することができる。
【００１６】
また、上記合成樹脂が、ＰＥＥＫ樹脂またはＰＰＳ樹脂であるので、耐熱性、機械的強度、耐薬品性などに優れ、オイルが高温になっても、また、オイルに各種添加剤が含まれていても、融解や分解などのおそれがない。また、曲げ弾性率が高く、シール溝に組み込む際に拡径しても割れることがない。
【００１７】
また、上記樹脂組成物に固体潤滑剤を含むことで、スリーブに電動オイルポンプを嵌入するときの作業性がさらに優れる。また、上記樹脂組成物に繊維状補強材を含むことで、嵌入の際に、縮径および拡径してもゲート部からの割れや合い口の破損などを防止できる。特に、合い口リップの破損防止に顕著な効果がある。
【００１８】
上記シール部材において、全長の中央部に射出成形時のゲート痕を有することで、両合い口端部における樹脂の充填バランスが優れる。また、上記射出成形時のゲート痕がリング内周面にあることで、後加工が不要であり、シール特性にも悪影響を与えない。
【図面の簡単な説明】
【００１９】
【図１】本発明の電動オイルポンプのシール構造の一例を示すスリーブ軸方向断面図（スリーブの半分）である。
【図２】シール構造に用いるシールリングの斜視図である。
【図３】複合ステップカットの合い口を示す斜視図である。
【図４】実施例および比較例に用いた試験部材を示す図である。
【図５】従来の電動オイルポンプのシール構造を示す図である。
【発明を実施するための形態】
【００２０】
本発明の電動オイルポンプのシール構造は、停車時にエンジンを停止するアイドリングストップシステムを搭載した車両の変速機と電動オイルポンプとの接合部におけるシール構造である。より詳細には、変速機における油圧コントロールユニットのユニットハウジングと、電動オイルポンプとの接合部などにおけるシール構造である。
【００２１】
本発明の電動オイルポンプのシール構造の一例を図１に基づいて説明する。図１は、該シール構造のスリーブ軸方向断面図（スリーブの半分）である。図１に示すように、このシール構造は、円筒状のスリーブ２の外周に形成された環状のシール溝２ａと、シール溝２ａに嵌入されるシール部材であるシールリング１とからなる。図１に示す例では、スリーブ２は、変速機のハウジング３のスリーブ嵌入部３ａと電動オイルポンプ４のスリーブ嵌入部４ａの両方に嵌入されている。スリーブ２の外周面２ｂと、スリーブ嵌入部３ａの内周面３ｂおよびスリーブ嵌入部４ａの内周面４ｂとの間の環状隙間に断面矩形のシールリング１が介在し、電動オイルポンプからの吐出オイルをシールしている。
【００２２】
ここで、スリーブ２は、変速機ハウジング３、電動オイルポンプ４のいずれか一方において、円筒部分として一体に設けられていてもよい。スリーブ２は、変速機と電動オイルポンプとの接合部において、変速機および電動オイルポンプの少なくとも一方のスリーブ嵌入部に嵌入される構成であればよい。図１に示す構成では、スリーブ２は単体で形成され、両方のスリーブ嵌入部に嵌入されている。スリーブが一方と一体に設けられるような場合は、他方のスリーブ嵌入部に嵌入される。本発明のシール構造では、両方のスリーブ嵌入部に嵌入される場合でも、容易に嵌入作業を行なうことができる。
【００２３】
図２は、該シール構造に用いるシールリング１の斜視図である。図２に示すように、シールリング１は、断面矩形の円環状リングであり、一箇所に複合ステップカットの合い口１ａを有する。
【００２４】
複合ステップカットの合い口を図３に基づき説明する。図３は、図２の合い口１ａを広げた状態の斜視図である。シールリングの合い口１ａは、相互に対向する合い口端部５および５’より形成される。合い口端部５は、シールリングの略矩形断面における側面二辺を結んでリング内周面側５ａとリング外周面側５ｂとに二分割するとき、リング内周面側５ａの矩形断面の先端部分に突き合わせ面６が形成される。また、リング外周面側の矩形断面部分５ｂには、この部分をさらに径方向に二分割する一方の矩形断面部分に突き合わせ面６から所定の長さ（Ｌ）だけ突出したリップ７と、他方の矩形断面部分に突き合わせ面６から所定の長さだけ後退したポケット８とが形成される。リップ７およびポケット８の内外周面はシールリングの所定の曲率をもつように形成される。一方、他方の合い口端部５’は、突き合わせ面６、リップ７およびポケット８と、相補的に嵌合するように形成された突き合わせ面６’、ポケット８’およびリップ７’とを有している。すなわち、突き合わせ面６および６’が衝合したとき、リップ７とポケット８’とが、ポケット８とリップ７’とがそれぞれ嵌合する。リップ７、７’の長さは、ポケット８’、８の長さより若干短く形成され、突き合わせ面６、６’が衝合してもリップ７、７’が突っ支えないように設計されている。
【００２５】
シールリングに外力を加えていない自由状態において、突き合わせ面６および６’間で周方向に隙間を有しつつ、一方の合い口端部のリップが他方の合い口端部のポケットにそれぞれ嵌合しており、シールリングはほぼ真円状になっている。このため、弾性変形による縮径が可能な構造であり、合い口１ａの突き合せ面６および６’が衝合した状態の外径が、自由状態の外径よりも小径となる。また、合い口１ａを広げることで拡径が可能である。このような複合ステップカットの合い口とすることで、縮径および拡径を可能としながら、シール性にも優れる。
【００２６】
図１に示すシール構造において、シールリング１をスリーブ２のシール溝２ａに取り付ける際には、合い口を広げて拡径しながら該溝に嵌入させる。シール溝２ａの溝底外径は、シールリング１の自由状態の内径よりも小さい。このため、シールリング１をスリーブ２のシール溝２ａに嵌入し、このスリーブ２を電動オイルポンプ等に嵌入させていない状態では、シールリング１は上記自由状態であり、突き合わせ面間に周方向の隙間を有し、かつ、リング内周面１ｄとシール溝２ａの溝底との間に隙間を有する。よって、この状態において、シールリングは、突き合わせ面が衝合するまで、または、リング内周面がシール溝の溝底に接触するまでは、縮径が可能である。
【００２７】
シールリング１を組み込んだスリーブ２に、電動オイルポンプ４等を嵌入させる際には、シールリング１を縮径した状態でスリーブ嵌入部４ａに嵌入させる。縮径した状態にする方法としては、例えば、スリーブ嵌入部の組み込み側端部の内径部に面取り等によりテーパ部分を設けることで、嵌入しつつ該テーパ部分に沿って縮径させることができる。縮径状態で嵌入することで、Ｏリングのように噛み込むことが生じず、Ｏリングのように破損または破断するという問題が生じない。
【００２８】
シールリング１の自由状態の外径寸法は、スリーブ嵌入部の内径寸法より大きく形成されている。そのため、シールリング１を組み込んだスリーブ２に電動オイルポンプ４等を嵌入させると、油圧が掛かっていない状態であってもシールリング１の外径はスリーブ嵌入部の内径に密着しており、オイル漏れが生じない。
【００２９】
シールリング１の内外径寸法およびシール溝２ａの溝深さは、電動オイルポンプ４等を嵌入可能な範囲とし、シールリング１をスリーブ２のシール溝２ａに嵌入した状態での最大縮径時のリング外径が、スリーブ嵌入部の内径以下となるようにする。
【００３０】
また、図１に示すように、シールリング１の軸方向幅を、シール溝２ａの軸方向幅よりも小さく設定することで、使用時にオイルが軸方向の一方からシール溝に入り込み、油圧によりシールリングを他方側の溝側面に押し付けるとともに、内径側から外周面をスリーブ嵌入部の内径に押し付ける。これにより、リング外周面１ｃがスリーブ嵌入部４ａの内周面４ｂ等に密着し、側面がシール溝の溝側面に密着して、オイルがシールされる。その他、リング内周面１ｄは、リング側面との角部に面取りが設けられていてもよく、段部が設けられていてもよい。
【００３１】
電動オイルポンプからの吐出オイルは、例えば、３０〜５００ｋＰａ程度の高圧である。また、シール性および組み込み性を確保するため、変速機のハウジング３のスリーブ嵌入部３ａおよび電動オイルポンプ４のスリーブ嵌入部４ａと、スリーブ２との嵌合隙間は、０．０１５ｍｍ〜０．１ｍｍであり、ハウジング３のスリーブ嵌入部３ａの内径寸法の０．１５〜１％の径差である。
【００３２】
本発明のシール構造は、円筒状のスリーブを介在させて接合部のシールを行なうものであれば、公知（例えば、上記特許文献１）の変速機および電動オイルポンプの接合部において適用可能である。
【００３３】
本発明におけるシール部材の材質は特に限定されないが、弾性変形により拡径および縮径して装着・嵌入すること、複合ステップカットの合い口にすること等を考慮すれば、エンジニアリングプラスチック等をベース樹脂とする樹脂組成物であることが好ましい。
【００３４】
シール部材を形成する樹脂組成物のベース樹脂としては、熱硬化性ポリイミド樹脂、熱可塑性ポリイミド樹脂、ポリエーテルケトンエーテルケトンケトン（以下、ＰＥＫＥＫＫと記す）樹脂、ポリエーテルケトン（以下、ＰＥＫと記す）樹脂、ＰＥＥＫ樹脂、全芳香族ポリエステル樹脂、ポリテトラフルオロエチレン（以下、ＰＴＦＥと記す）樹脂、ポリテトラフルオロエチレン・パーフルオロアルキルビニルエーテル共重合体樹脂、テトラフルオロエチレン・ヘキサフルオロプロピレン共重合体樹脂、エチレン−テトラフルオロエチレン共重合体樹脂、ＰＰＳ樹脂、ポリアミドイミド（以下、ＰＡＩと記す）樹脂、ポリアミド（以下、ＰＡと記す）樹脂などが挙げられる。なお、これらの樹脂は単独で使用しても、２種類以上混合したポリマーアロイとしてもよい。
【００３５】
複合ステップカットの合い口を有するシールリングの製造が容易であり低コストであること等から、シールリングは、樹脂組成物を射出成形してなる射出成形体にすることが好ましい。このため、合成樹脂としては、射出成形が可能である熱可塑性樹脂を用いることが好ましい。その中でも特に、熱可塑性ポリイミド樹脂、ＰＥＫＥＫＫ樹脂、ＰＥＫ樹脂、ＰＥＥＫ樹脂、ＰＰＳ樹脂、ＰＡＩ樹脂、ＰＡ樹脂などの結晶性の樹脂が、摩擦摩耗特性に優れるので好ましい。
【００３６】
このような結晶性の熱可塑性樹脂の中でも、曲げ弾性率、耐熱性、耐薬品性などに優れることから、特に、ＰＥＥＫ樹脂またはＰＰＳ樹脂を用いることが好ましい。これらの樹脂は高い弾性率を有し、シール溝に組み込む際に拡径しても割れることがなく、シールするオイルの油温が高くなる場合でも使用でき、また、オイル添加剤によるソルベントクラックの心配もない。
【００３７】
また、必要に応じて上記樹脂組成物に、炭素繊維、ガラス繊維、アラミド繊維などの繊維状充填材、ＰＴＦＥ樹脂、グラファイト、二硫化モリブデンなどの固体潤滑剤を配合できる。これらは単独で配合することも、組み合せて配合することもできる。
【００３８】
上記樹脂組成物としては、ベース樹脂にＰＥＥＫ樹脂またはＰＰＳ樹脂を用い、これに繊維状補強材である炭素繊維と、固体潤滑剤であるＰＴＦＥ樹脂とを含むものが、本発明におけるシール部材に要求される特性を得やすいので好ましい。炭素繊維を配合することで、曲げ弾性率等の機械的強度の向上が図れる。また、ＰＴＦＥ樹脂の配合により摺動特性が向上し、スリーブに電動オイルポンプ等を嵌入するときの作業性の向上が図れる。
【００３９】
炭素繊維としては、原材料から分類されるピッチ系またはＰＡＮ系のいずれのものであってもよい。また、炭素繊維の平均繊維径は２０μｍ以下、好ましくは５〜１５μｍである。この範囲をこえる太い炭素繊維では、摺動相手材の摩耗損傷が大きくなるため好ましくない。また、炭素繊維は、チョップドファイバー、ミルドファイバーのいずれであってもよい。また、炭素繊維とベース樹脂との密着性を高め、シールリングの機械的特性を向上させるために、これらの炭素繊維の表面をエポキシ系樹脂、ポリアミド系樹脂などを含有した処理剤や、シラン系カップリング剤などにより表面処理を施してもよい。
【００４０】
炭素繊維の配合割合は、樹脂組成物全体に対して５〜３０重量％であることが好ましい。より好ましくは、１０〜２０重量％である。炭素繊維の配合割合が５重量％未満では、補強効果が乏しく、所望の耐クリープ性や耐摩耗性が得られない場合がある。一方、炭素繊維の配合割合が３０重量％をこえると、溶融流動性が著しく低下し、複合ステップカットの合い口形状の成形が困難になるとともに、嵌入時に電動オイルポンプ等のスリーブ嵌入部を摩耗損傷するおそれがある。
【００４１】
ＰＴＦＥ樹脂としては、懸濁重合法によるモールディングパウダー、乳化重合法によるファインパウダー、再生ＰＴＦＥのいずれを採用してもよい。ＰＥＥＫ樹脂等の流動性を安定させるためには、成形時のせん断により繊維化し難く、溶融粘度を増加させ難い再生ＰＴＦＥを採用することが好ましい。
【００４２】
再生ＰＴＦＥとは、熱処理（熱履歴が加わったもの）粉末、γ線または電子線などを照射した粉末のことである。例えば、モールディングパウダーまたはファインパウダーを熱処理した粉末、また、この粉末をさらにγ線または電子線を照射した粉末、モールディングパウダーまたはファインパウダーの成形体を粉砕した粉末、また、その後γ線または電子線を照射した粉末、モールディングパウダーまたはファインパウダーをγ線または電子線を照射した粉末などのタイプがある。再生ＰＴＦＥの中でも、凝集せず、ＰＥＥＫ樹脂等の溶融温度おいて、全く繊維化せず、内部潤滑効果があり、ＰＥＥＫ樹脂等の流動性を安定して向上させることが可能なことから、γ線または電子線などを照射したＰＴＦＥ樹脂を採用することがより好ましい。
【００４３】
ＰＴＦＥ樹脂の配合割合は、樹脂組成物全体に対して５〜３５重量％であることが好ましい。より好ましくは、１０〜３０重量％である。ＰＴＦＥ樹脂の配合割合が５重量％未満では、嵌入時の作業性向上の効果が少ない。一方、ＰＴＦＥ樹脂の配合割合が３５重量％をこえると、耐クリープ性などが低下するおそれがある。
【００４４】
以上の諸原材料を混合し、混練する手段は、特に限定するものではなく、粉末原料をヘンシェルミキサー、ボールミキサー、リボンブレンダー、レディゲミキサー、ウルトラヘンシェルミキサーなどにて乾式混合し、さらに二軸押出し機などの溶融押出し機にて溶融混練し、成形用ペレット（顆粒）を得ることができる。また、充填材等の投入は、二軸押出し機などで溶融混練する際にサイドフィードを採用してもよい。成形方法としては、上述したように射出成形が好ましい。また、物性改善のためにアニール処理等の処理を採用してもよい。
【００４５】
シールリングを射出成形により製造する場合、その射出成形時のゲート位置（ゲート痕）１ｂは特に限定されないが、シール性の確保の観点および後加工が不要になることから、図２に示すようにリング内周面１ｄに設けることが好ましい。特に、サブマリンゲートとすることで、ゲート痕を目立たなくできる。また、ゲート位置（ゲート痕）１ｂは、リング全長の中央部、すなわち合い口１ａの対向部に設けることが、射出成形時における流動バランスの面から好ましい。
【実施例】
【００４６】
図４に示す方法により、変速機と電動オイルポンプとの接合部に見立てた組み込み試験を行なった。
【００４７】
［実施例］
図４（ａ）に示すように、外径φ２２．００ｍｍの円筒部材の外周面に形成したシール溝（幅２．５０ｍｍ×深さ２．００ｍｍ）に、シール部材（自由状態の形状が外径φ２２．１０ｍｍ×内径φ１８．４０ｍｍ×幅２．４５ｍｍ）を組み込んだ（図中［１］）。ここで、シール部材（シールリング）は、炭素繊維１０重量％とＰＴＦＥ１０重量％とＰＰＳ樹脂８０重量％からなるＰＰＳ材（実施例１）と、炭素繊維１０重量％とＰＥＥＫ樹脂９０重量％からなるＰＥＥＫ材（実施例２）を用い、射出成形により製作した。シール部材の合い口形状は、図２および図３に示す複合ステップカットである。
【００４８】
そのシール部材の組み込まれた円筒部材に、内径φ２２．０５ｍｍのケース（円筒部材の外周面とのクリアランス０．０５ｍｍ、組み込み側内径部に０．５ｍｍの面取り有り）を一度嵌入させた（図中［２］）。嵌入させた後、ケースを円筒部材から取り外して、シール部材の外観状態を確認した（図中［３］）。これを１００個の試験部材について行なった。
【００４９】
試験終了後のシール部材の外観を目視により観察したところ、まったく傷、破損等が生じていなかった。
【００５０】
［比較例］
図４（ｂ）に示すように、外径φ２２．００ｍｍの円筒部材の外周面に形成したシール溝（幅２．５０ｍｍ×深さ２．００ｍｍ）に、ＮＢＲ製のＯリング（太さ２．５ｍｍ×外径２３ｍｍ×内径１８ｍｍ）を組み込んだ（図中［１］）。そのＯリングの組み込まれた円筒部材に、内径φ２２．０５ｍｍのケース（円筒部材の外周面とのクリアランス０．０５ｍｍ、組み込み側内径部に０．５ｍｍの面取り有り）を一度嵌入させた（図中［２］）。嵌入させた後、ケースを円筒部材から取り外して、Ｏリングの外観状態を確認した（図中［３］）。これを１００個の試験部材について行なった。
【００５１】
試験後のＯリングの外観を目視により観察したところ、１００個中、５個のＯリングに破損が認められた。
【産業上の利用可能性】
【００５２】
本発明の電動オイルポンプのシール構造は、停車時にエンジンを停止するアイドリングストップシステムを搭載した車両の変速機と電動オイルポンプとをスリーブを介して接合する際のシール構造として好適に利用できる。
【符号の説明】
【００５３】
１  シールリング
１ａ  合い口
１ｂ  ゲート位置（ゲート痕）
１ｃ  リング外周面
１ｄ  リング内周面
２  スリーブ
２ａ  シール溝
２ｂ  スリーブ外周面
３  変速機のハウジング
３ａ  スリーブ嵌入部
３ｂ  スリーブ嵌入部の内周面
４  電動オイルポンプ
４ａ  スリーブ嵌入部
４ｂ  スリーブ嵌入部の内周面
５、５’  合い口端部
６、６’  突き合わせ面
７、７’  リップ
８、８’  ポケット
１１  電動オイルポンプ
１２  ユニットハウジング
１３  スリーブ
１４、１５  Ｏリング
【図１】
2014098461.tif 000003
【図２】
2014098461.tif 000004
【図３】
2014098461.tif 000005
【図４】
2014098461.tif 000006
【図５】
2014098461.tif 000007